(57)【特許請求の範囲】
【請求項１】
タッチ画面を有する電子機器本体と、
前記本体内に設けられた文字入力モジュールと、を含み、
前記文字入力モジュールは、前記タッチ画面に文字入力のための領域である文字入力領域を表示する表示モジュールと、
前記表示モジュールを通してユーザーのタッチに反応して該当の動作を行う動作制御モジュールと、
前記動作制御モジュールを通してユーザーがタッチした文字を前記タッチ画面上に表示する文字表示領域と、を含み、
前記表示モジュールの文字入力領域は、多数の文字領域を含む文字ボタン領域、及び前記文字ボタン領域の上下左右の縁部に配置された移動ボタン領域が、キューブの異なる面にそれぞれ配置されて形成されており、
前記タッチ画面に表示された前記文字ボタン領域の少なくとも一つの文字領域をタッチした後、そのタッチした状態で上下左右方向にドラッグすると、そのタッチした文字領域と対応する文字を入力するとともに、そのドラッグの方向に前記キューブが回転し、他の前記文字ボタン領域がタッチ画面に位置するようになり、
前記移動ボタン領域をタッチすると、当該移動ボタン領域の方向に前記キューブが回転し、他の前記文字ボタン領域がタッチ画面に位置するようになる、
タッチ式文字入力装置。
【請求項２】
前記文字ボタン領域の文字領域には、ハングルの子音及び母音、英語のアルファベット、日本語の平仮名及び片仮名、アスキーコード、特殊文字、絵文字、イモティコン及び記号がタッチボタン形態で配置され、前記文字領域には一つの文字がボタン形態で配置されたり、又は多数の文字が配置され、
前記英語のアルファベットは、一つの文字ボタン領域に全て配置され、
前記ハングルの子音及び母音と日本語の平仮名及び片仮名は、多数の文字ボタン領域にそれぞれ分割・配置され、多数の文字ボタン領域が移動ボタン領域によってキューブ状に連結されることを特徴とする、請求項１に記載のタッチ式文字入力装置。
【請求項３】
前記英語の場合、文字領域の中心と中心を基準にして上下左右にアルファベットと数字が配置され、文字領域をタッチしたり、タッチ後に上下左右方向に移動して文字を入力することを特徴とする、請求項２に記載のタッチ式文字入力装置。
【請求項４】
ハングルの場合、第１の文字ボタン領域に子音が配置され、前記第１の文字ボタン領域の上下左右にそれぞれ第２〜第５の文字ボタン領域が配置され、各領域に母音が４個の類似グループ、すなわち、
0005404657.tif 000129
グループに分離・配置され、
前記第１の文字ボタン領域の右側の第２の文字ボタン領域には、
0005404657.tif 000130
系列として１次母音である
0005404657.tif 000131
、２次母音である
0005404657.tif 000132
、そして、追加母音である
0005404657.tif 000133
が配置され、左側の第３の文字ボタン領域には、
0005404657.tif 000134
系列として１次母音である
0005404657.tif 000135
、２次母音である
0005404657.tif 000136
、そして、追加母音である
0005404657.tif 000137
が配置され、上側の第４の文字ボタン領域には、
0005404657.tif 000138
系列として１次母音である
0005404657.tif 000139
、２次母音である
0005404657.tif 000140
、そして、追加母音である
0005404657.tif 000141
が配置され、下側の第５の文字ボタン領域には、
0005404657.tif 000142
系列として１次母音である
0005404657.tif 000143
、２次母音である
0005404657.tif 000144
、そして、追加母音である
0005404657.tif 000145
が配置されることを特徴とする、請求項２に記載のタッチ式文字入力装置。
【請求項５】
前記タッチ画面には少なくとも一つ以上の文字ボタン領域が配置されることを特徴とする、請求項２に記載のタッチ式文字入力装置。
【請求項６】
タッチ画面に文字がマトリックスボタン形態で配列された多数の文字ボタン領域を含むタッチ式文字入力方法において、
前記多数の文字ボタン領域は、タッチ画面に表示されるキューブの異なる面にそれぞれ配置されており、
前記タッチ画面に表示された一つの文字ボタン領域の少なくとも一つの文字ボタンをタッチする段階と、
前記文字ボタンをタッチした状態で上下左右方向にドラッグすることにより、そのタッチした文字ボタンと対応する文字を入力するとともに、そのドラッグの方向に前記キューブを回転させて、他の文字ボタン領域をタッチ画面に位置させる段階と、
前記他の文字ボタン領域の少なくとも一つの文字ボタンをタッチする段階と、を含むタッチ式文字入力方法。
【請求項７】
前記文字ボタンのタッチは、一つの指で１回タッチ（シングルタッチ）したり、二つの指でタッチ（マルチタッチ）したり、一つの指で２回以上タッチ（ダブルタッチ）したり、一つの指で長く１回タッチしたりすることを含む、請求項６に記載のタッチ式文字入力方法。
【請求項８】
二つ以上の文字を入力する場合、該当の各文字を同時にタッチしたり、それぞれの文字を順次タッチすることを特徴とする、請求項６に記載のタッチ式文字入力方法。
【請求項９】
前記各文字ボタン領域の上下左右の４つの縁部には隣接文字ボタン領域の代表文字が表示される各移動ボタン領域が配置され、この移動ボタン領域をタッチして該当の文字ボタン領域に移動することを特徴とする、請求項６に記載のタッチ式文字入力方法。
【請求項１０】
５個の文字ボタン領域を備えており、
第１の文字ボタン領域にハングルの子音がマトリックスボタン形態で配置され、
前記第１の文字ボタン領域を基準にして上下左右にハングルの母音が第２〜第５の文字ボタン領域にそれぞれ配置され、前記第１の文字ボタン領域を基準にして左右にそれぞれ
0005404657.tif 000146
が配置され、上下にそれぞれ
0005404657.tif 000147
が配置されることを特徴とする、請求項９に記載のタッチ式文字入力方法。
【請求項１１】
５個の文字ボタン領域を備えており、
第１の文字ボタン領域には、日本語の平仮名のあ段（「あ」、「か」、「さ」、「た」、「な」、「は」、「ま」、「や」、「ら」、「わ」）系列又は片仮名のア段（「ア」、「カ」、「サ」、「タ」、「ナ」、「ハ」、「マ」、「ヤ」、「ラ」、「ワ」）系列の文字がマトリックスボタン形態で配置され、前記第１の文字ボタン領域を基準にして上下左右に第２〜第５の文字ボタン領域がそれぞれ配置され、前記第２〜第５の文字ボタン領域には、それぞれ平仮名のい段（「い」、「き」、「し」、「ち」、「に」、「ひ」、「み」、「り」、「わ」）、え段（「え」、「け」、「せ」、「て」、「ね」、「へ」、「め」、「れ」、「わ」）、お段（「お」、「こ」、「そ」、「と」、「の」、「ほ」、「も」、「よ」、「ろ」、「を」）及びう段（「う」、「く」、「す」、「つ」、「ぬ」、「ふ」、「む」、「ゆ」、「る」、「ん」）系列のうちいずれか一つの系列の母音が配置されたり、又はそれぞれ片仮名のイ段（「イ」、「キ」、「シ」、「チ」、「ニ」、「ヒ」、「ミ」、「リ」、「ワ」）、エ段（「エ」、「ケ」、「セ」、「テ」、「ネ」、「ヘ」、「メ」、「レ」、「ワ」）、オ段（「オ」、「コ」、「ソ」、「ト」、「ノ」、「ホ」、「モ」、「ヨ」、「ロ」、「ヲ」）及びウ段（「ウ」、「ク」、「ス」、「ツ」、「ヌ」、「フ」、「ム」、「ユ」、「ル」、「ン」）系列のうちいずれか一つの系列の母音が配置され、
前記第１〜第５の文字ボタン領域にタッチした後、移動方向によって濁点を加えたり、半濁点を加えたり、長音を表示したり、平仮名と片仮名モードを転換したり、小さい文字、拗音、促音に変換させる濁音入力文字領域を含むことを特徴とする、請求項９に記載のタッチ式文字入力方法。
【発明の詳細な説明】
【技術分野】
【０００１】
本発明は、タッチ式文字入力装置及び方法に関するもので、子音と母音が互いに異なる隣接面に分離されたキューブタイプの文字入力部の画面転換を通して文字を入力するタッチ式文字入力方法に関するものである。
【背景技術】
【０００２】
一般に、携帯電話及び移動式端末機には、キーボードなどの別途の文字入力手段が備えられていない。そのため、文字と数字を同時に入力する少数のダイヤルボタンキーを通して文字データを入力する方式が使用されている。
【０００３】
最近は、 タッチパッド又はタッチスクリーンなどのタッチ式文字入力インターフェース環境を搭載した携帯電話、スマートフォン、ＰＤＡ、ナビゲータ、ノートブックコンピュータ、ＰＣ、ＰＯＳ機器及びＡＴＭなどの端末機が市販されている。このような端末機は、タッチスクリーン上にキーパッド及び文字表示窓を出力することによって、ユーザーが指又はポインタなどを使用してキーパッドのタッチを通して所望の文字を入力できるようにしている。
【０００４】
例えば、タッチスクリーンが装着された携帯電話は、ユーザーからの要請に応じて、文字入力モードの実行時にタッチスクリーン上に多数の文字キーボタン及び機能キーボタンなどが配列されているキーパッドを表示し、 ユーザーの文字キーボタンのタッチによって入力された文字を文字表示窓に表示したり、 ユーザーの機能キーボタンのタッチによって該当の機能を行う。
【０００５】
このような電子装置で文字が入力される方式としては、マルチタップ方式とシングルタップ方式がある。マルチタップ方式の場合、 多数の文字集合を少数のキー上に重畳的に割り当て・配置して文字を入力する方式であって、使用上の不便があり、誤った文字の入力を誘発するという短所がある。これに対して、シングルタップ文字入力方式の場合、一つの文字を１回のタップで入力するが、予め該当の言語の語彙辞書を備えなければならないという短所がある。
【発明の概要】
【発明が解決しようとする課題】
【０００６】
したがって、本発明は、前記のような問題を解決するために、子音と類似母音がそれぞれ異なる面に配置されたキューブタイプの文字入力機を通して文字を入力すれば、自由に所望の面に移動しながら子音と母音を組み合わせて多様な言語の文字を入力することができ、子音と母音領域を自由に回転させながら文字を入力することによって、文字入力を迅速かつ容易に行うことができ、面白みも感じることができる多面体キューブタイプのタッチ式文字入力装置及び方法を提供する。
【課題を解決するための手段】
【０００７】
本発明は、タッチ画面を有する電子機器本体及び前記本体内に設けられた文字入力モジュールを含み、前記文字入力モジュールは、前記タッチ画面に文字入力のための領域である文字入力領域を表示する表示モジュールと、前記表示モジュールを通してユーザーのタッチに反応して該当の動作を行う動作制御モジュールと、前記動作制御モジュールを通してユーザーがタッチした文字を前記タッチ画面上に表示する文字表示領域とを含むタッチ式文字入力装置を提供する。
【０００８】
前記表示モジュールの文字入力領域は、四角のキューブ状を有し、多数の文字領域を含む少なくとも一つの文字ボタン領域と、前記文字ボタン領域の上下左右の縁部に配置された移動ボタン領域とを含む。
【０００９】
前記文字ボタン領域の文字領域には、ハングルの子音及び母音、英語のアルファベット、日本語の平仮名及び片仮名、アスキーコード、特殊文字、絵文字、イモティコン及び記号がタッチボタン形態で配置され、前記文字領域には一つの文字がボタン形態で配置されたり、又は多数の文字が配置され、前記英語のアルファベットは、一つの文字ボタン領域に全て配置され、前記ハングルの子音及び母音と日本語の平仮名及び片仮名は、多数の文字ボタン領域にそれぞれ分割・配置され、多数の文字ボタン領域が移動ボタン領域によってキューブ状に連結されることを特徴とする。
【００１０】
ハングルと日本語の場合、該当の文字ボタン領域をタッチした後、上下左右方向にドラッグして各文字ボタン領域間を移動し、英語の場合、文字領域の中心と中心を基準にして上下左右にアルファベットと数字が配置され、文字領域をタッチしたり、タッチ後に上下左右方向に移動して文字を入力することを特徴とする。
【００１１】
ハングルの場合、第１の文字ボタン領域に子音が配置され、前記第１の文字ボタン領域の上下左右にそれぞれ第２〜第５の文字ボタン領域が配置され、各領域には母音が４個の類似グループ、すなわち、
0005404657.tif 000002
グループに分離・配置され、前記第１の文字ボタン領域の右側の第２の文字ボタン領域には
0005404657.tif 000003
系列として１次母音である
0005404657.tif 000004
、２次母音である
0005404657.tif 000005
、そして、追加母音である
0005404657.tif 000006
が配置され、左側の第３の文字ボタン領域には
0005404657.tif 000007
系列として１次母音である
0005404657.tif 000008
、２次母音である
0005404657.tif 000009
、そして、追加母音である
0005404657.tif 000010
が配置され、上側の第４の文字ボタン領域には
0005404657.tif 000011
系列として１次母音である
0005404657.tif 000012
、２次母音である
0005404657.tif 000013
、そして、追加母音である
0005404657.tif 000014
が配置され、下側の第５の文字ボタン領域には
0005404657.tif 000015
系列として１次母音である
0005404657.tif 000016
、２次母音である
0005404657.tif 000017
、そして、追加母音である
0005404657.tif 000018
が配置されることを特徴とする。
【００１２】
前記タッチ画面には少なくとも一つ以上の文字ボタン領域が配置されることを特徴とする。
【００１３】
また、参考形態として、タッチ画面を有する電子機器本体及び前記本体内に設けられた文字入力モジュールを含み、前記文字入力モジュールは、前記タッチ画面に文字を入力するために、タッチ画面に多数のアルファベットが多行多列のマトリックスボタン形態で配列された文字ボタン領域を備える表示モジュールと、前記表示モジュールを通してユーザーのタッチに反応して該当の動作を行う動作制御モジュールと、前記動作制御モジュールを通してユーザーがタッチした文字を前記タッチ画面上に表示する文字表示領域とを含み、前記３番目の行のアルファベットの大きさが最も大きく、１番目及び５番目の行のアルファベットの大きさが最も小さく、前記３番目の行のアルファベットの大きさが３である場合、２番目及び４番目の行のアルファベットの大きさが２で、１番目及び５番目の行のアルファベットの大きさが１であることを特徴とするタッチ式文字入力装置を提供する。
【００１４】
また、本発明は、タッチ画面に文字がマトリックスボタン形態で配列された多数の文字ボタン領域を含むタッチ式文字入力方法において、前記タッチ画面に表示された一つの文字ボタン領域の少なくとも一つの文字ボタンをタッチする段階と、前記文字ボタンをタッチした状態で上下左右方向に移動（ドラッグ）し、他の文字ボタン領域をタッチ画面に位置させる段階と、前記他の文字ボタン領域の少なくとも一つの文字ボタンをタッチする段階とを含むタッチ式文字入力方法を提供する。
【００１５】
前記文字ボタンのタッチは、一つの指で１回タッチ（シングルタッチ）したり、少なくとも二つの指でタッチ（マルチタッチ）したり、一つの指で２回以上タッチ（ダブルタッチ）したり、一つの指で長く１回タッチしたり、前記タッチ動作後、上下左右の４方向又は３６０°方向にドラッグ（タッチ及びドラッグ）することを特徴とする。
【００１６】
二つ以上の文字を入力する場合、該当の各文字を同時にタッチしたり、それぞれを順次タッチすることを特徴とする。
【００１７】
前記各文字ボタン領域の上下左右の４つの縁部には隣接文字ボタン領域の代表文字が表示される各移動ボタン領域が配置され、この移動ボタン領域をタッチして該当の文字ボタン領域に移動したり、該当の方向にドラッグして該当の文字ボタン領域に移動することを特徴とする。
【００１８】
５個の文字ボタン領域を備えており、第１の文字ボタン領域にハングルの子音がマトリックスボタン形態で配置され、前記第１の文字ボタン領域を基準にして上下左右にハングルの母音が第２〜第５の文字ボタン領域にそれぞれ配置され、前記第１の文字ボタン領域を基準にして左右にそれぞれ
0005404657.tif 000019
が配置され、上下にそれぞれ
0005404657.tif 000020
が配置されることを特徴とする。
【００１９】
５個の文字ボタン領域を備えており、第１の文字ボタン領域に日本語の平仮名のあ段（「あ」、「か」、「さ」、「た」、「な」、「は」、「ま」、「や」、「ら」、「わ」）系列又は片仮名のア段（「ア」、「カ」、「サ」、「タ」、「ナ」、「ハ」、「マ」、「ヤ」、「ラ」、「ワ」）系列の文字がマトリックスボタン形態で配置され、前記第１の文字ボタン領域を基準にして上下左右に第２〜第５の文字ボタン領域がそれぞれ配置され、前記第２〜第５の文字ボタン領域には、それぞれ平仮名のい段（「い」、「き」、「し」、「ち」、「に」、「ひ」、「み」、「り」、「わ」）、え段（「え」、「け」、「せ」、「て」、「ね」、「へ」、「め」、「れ」、「わ」）、お段（「お」、「こ」、「そ」、「と」、「の」、「ほ」、「も」、「よ」、「ろ」、「を」）及びう段（「う」、「く」、「す」、「つ」、「ぬ」、「ふ」、「む」、「ゆ」、「る」、「ん」）系列のうちいずれか一つの系列の母音が配置されたり、又はそれぞれ片仮名のイ段（「イ」、「キ」、「シ」、「チ」、「ニ」、「ヒ」、「ミ」、「リ」、「ワ」）、エ段（「エ」、「ケ」、「セ」、「テ」、「ネ」、「ヘ」、「メ」、「レ」、「ワ」）、オ段（「オ」、「コ」、「ソ」、「ト」、「ノ」、「ホ」、「モ」、「ヨ」、「ロ」、「ヲ」）及びウ段（「ウ」、「ク」、「ス」、「ツ」、「ヌ」、「フ」、「ム」、「ユ」、「ル」、「ン」）系列のうちいずれか一つの系列の母音が配置され、前記第１〜第５の文字ボタン領域にタッチした後、移動方向によって濁点又は半濁点を加えたり、長音を表示したり、平仮名と片仮名モードを転換したり、小さい文字、拗音、促音に変換させる濁音入力文字領域を含むことを特徴とする。
【００２０】
また、参考形態としては、タッチ画面に多数のアルファベットが表示された文字領域がマトリックスボタン形態で配列された文字ボタン領域を含み、一つの文字領域の中央に一つのアルファベットが位置し、これを基準にして上下左右にアルファベット又は数字が配置されたタッチ式文字入力装置のタッチ式文字入力方法において、前記文字ボタン領域で入力しようとするアルファベットを確認する段階と、該当のアルファベットがある文字領域をタッチし、前記アルファベットの位置に従って前記文字領域の中央をタッチしたり、タッチ後に上下左右方向に移動する段階とを含むタッチ式文字入力方法を提供する。
【００２１】
前記文字領域を二つの指でマルチタッチして文字を入力すると、次に組み合わされる文字がアルファベット順に自動的に羅列されることを特徴とする。
【００２２】
前記文字領域はスペースバー文字領域を含み、前記スペースバー文字領域をタッチした後、前後左右方向のうちいずれか一つの方向に移動すると、大文字入力モードに変更されることを特徴とする。
【００２３】
また、参考形態として、タッチ画面に多数のアルファベットが５行６列のマトリックスボタン形態で配列された文字ボタン領域を含むタッチ式文字入力装置のタッチ式文字入力方法において、前記文字ボタン領域で入力しようとするアルファベットを確認する段階と、作成しようとするアルファベットがある３番目の行のアルファベットをタッチし、作成しようとするアルファベットの位置に従って３番目の行のアルファベットをタッチしたり、タッチ後に作成しようとするアルファベットが位置する上部又は下部に移動する段階とを含むタッチ式文字入力方法を提供する。
【００２４】
前記３番目の行のアルファベットの大きさが最も大きく、１番目及び５番目の行のアルファベットの大きさが最も小さく、前記３番目の行のアルファベットの大きさが３である場合、２番目及び４番目の行のアルファベットの大きさが２で、１番目及び５番目の行のアルファベットの大きさが１であることを特徴とする。
【発明の効果】
【００２５】
上述したように、本発明は、タッチタイプの機器で多様な言語の文字を容易に入力することができる。
【００２６】
また、本発明は、子音と類似母音がそれぞれ異なる面に配置されたキューブタイプの文字入力機を通して文字を入力するとき、自由に所望の面に移動しながら子音と母音を組み合わせ、多様な言語の文字を入力することができる。
【００２７】
また、一つの文字をタッチした後、次の文字が位置した面に移動する際にタッチした状態で移動することによって、文字作成のための入力が少なくなる。
【００２８】
また、各言語間の変換が容易であり、文字以外の多様な記号も容易に入力することができる。
【００２９】
また、子音と母音領域を自由に回転しながら文字を入力することによって文字入力を迅速且つ容易に行うことができ、面白みも感じることができる多面体キューブタイプのタッチ式文字入力装置及び方法を提供する。
【図面の簡単な説明】
【００３０】
【図１】本発明の第１の実施例に係るタッチ式文字入力装置を説明するための図である。
【図２】第１の実施例に係る文字入力領域を説明するための図である。
【図３】第１の実施例に係るタッチ式文字入力方法を説明するための流れ図である。
【図４】第１の実施例に係るタッチ式文字入力方法を説明するための流れ図である。
【図５】第１の実施例に係るタッチ式文字入力方法を説明するための流れ図である。
【図６】第１の実施例に係るタッチ式文字入力方法を説明するための流れ図である。
【図７】第１の実施例に係るタッチ式文字入力方法を説明するための流れ図である。
【図８】第１の実施例に係るタッチ式文字入力方法を説明するための流れ図である。
【図９】第１の実施例に係るタッチ式文字入力方法を説明するための流れ図である。
【図１０】第１の実施例に係るタッチ式文字入力方法を説明するための流れ図である。
【図１１】第１の実施例に係るタッチ式文字入力方法を説明するための流れ図である。
【図１２】第１の実施例に係るタッチ式文字入力方法を説明するための流れ図である。
【図１３】第１の参考例に係るタッチ式文字入力装置の文字ボタン領域を説明するための図である。
【図１４】第１の参考例に係るタッチ式文字入力方法を説明するための流れ図である。
【図１５】第１の参考例の変形例に係るタッチ式文字入力方法を説明するための流れ図である。
【図１６】第２の参考例に係るタッチ式文字入力装置の文字ボタン領域を説明するための図である。
【図１７】第２の参考例に係るタッチ式文字入力方法を説明するための図である。
【図１８】第２の実施例に係るタッチ式文字入力装置の文字入力領域を説明するための図である。
【図１９】第２の実施例に係るタッチ式文字入力装置の文字入力領域を説明するための図である。
【図２０】第２の実施例に係るタッチ式文字入力方法を説明するための流れ図である。
【図２１】第３の実施例に係るタッチ式文字入力装置を説明するための図である。
【発明を実施するための形態】
【００３１】
以下、添付の図面を参照して本発明の実施例をより詳細に説明する。しかし、本発明は、以下で開始する実施例に限定されるものではなく、互いに異なる多様な形態で具現可能である。ただし、本実施例は、本発明を完全に開示し、通常の知識を有する者に発明の範疇を完全に知らせるために提供されるものである。図面における同一の符号は同一の要素を示している。
【００３２】
図１は、本発明の第１の実施例に係るタッチ式文字入力装置を説明するための図である。図２は、第１の実施例に係る文字入力領域を説明するための図である。
【００３３】
図１及び図２を参照すると、本実施例のタッチ式文字入力装置は、タッチ画面１１０を有する電子機器本体１００と、前記本体１００内に設けられた文字入力モジュール（図示せず）とを備えており、文字入力モジュールは、タッチ画面１１０に文字入力のための領域である文字入力領域を表示する表示モジュール（図示せず）と、前記表示モジュールを通したユーザーのタッチに反応して該当の動作を行う動作制御モジュール（図示せず）と、動作制御モジュールを通してユーザーがタッチした文字をタッチ画面１１０上に表示する文字表示領域２００とを備えている。
【００３４】
表示モジュールの文字入力領域２００は、文字ボタン領域２１０及び移動ボタン領域２２０を含む。前記文字入力領域は、四角面形状を有するが、これに限定されるものではなく、多角面形状に製作可能である。
【００３５】
図１に示すように、文字ボタン領域２１０は四角形状の多数の文字領域２１１を含み、この文字領域２１１内に子音、母音又は特殊記号及び実行表示などが表示される。本実施例では、一つの文字領域内に一つの子音又は母音が表示されるが、これに限定されることなく、一つ以上の子音、母音、特殊記号及び実行表示などが表示されることもある。本実施例では、一つの文字ボタン領域２１０に４＊４行列形態の文字領域２１１が位置するが、その行及び／又は列の個数はこれより多いか少ないこともある。しかし、ユーザーのタッチの効率性のために４＊４行列形態の配列、４＊３行列形態の配列、３＊４行列形態の配列、３＊３行列形態の配列を有することが効果的である。これにより、一つの文字ボタン領域内に９個〜１６個の子音、母音、特殊記号及び／又は実行表示などを表示することができる。このように、一つの文字ボタン領域２１０に最大１６個の子音又は母音が配置されるので、本実施例では、図２に示すように、多数の文字ボタン領域２１０がキュービック状に前記表示モジュール内に配置される。すなわち、四角形状の一つの文字ボタン領域２１０の上下左右領域にそれぞれ同一形態の異なる文字ボタン領域２１０が位置する。したがって、該当の文字ボタン領域２１０から他の文字ボタン領域２１０への移動が自由である。
【００３６】
このとき、隣接文字ボタン領域２１０内に主に配置された子音、母音などがわからない場合、ユーザーは幾度も文字ボタン領域に移動しなければならないという短所がある。
【００３７】
したがって、本実施例では、このような問題を解消するために、文字ボタン領域２１０の４つの縁部にはそれぞれ台形状の移動ボタン領域２２０が配置され、この移動ボタン領域２２０内に隣接した文字ボタン領域２１０に位置した子音又は母音、すなわち、文字を知らせる。例えば、この隣接文字ボタン領域２１０には隣接文字ボタン領域２１０の代表文字が表示される。
【００３８】
本実施例では、図２に示すように、ハングルを５個の文字ボタン領域２１０（２１０―１、２１０―２、２１０―３、２１０―４、２１０―５）に分割した。そして、これらのうち一つの文字ボタン領域２１０―１に子音を配置し、残りの４個の文字ボタン領域２１０―２、２１０―３、２１０―４、２１０―５に母音を配置した。このとき、母音の場合、各類似母音を同一の文字ボタン領域２１０に配置した。
【００３９】
子音が配置された第１の文字ボタン領域２１０―１には４＊４形態の文字領域が配置され、この文字領域に１４個の子音が順次配置される。その後、最後の行には
0005404657.tif 000021
が１番目の列と４番目の列に配置され、残りの２番目と３番目の列にはそれぞれ制御表示文字と各文章符号が配置される。そして、本実施例では、母音を４個のグループ、すなわち、
0005404657.tif 000022
グループに分離した。そして、これら分類によって、これらと類似した母音を残りの４個の文字ボタン領域に配置した。そして、これら４個の文字ボタン領域２１０―２、２１０―３、２１０―４、２１０―５内には３＊３行列形態の文字領域が配置される。したがって、第２の文字ボタン領域２１０―２には、        
0005404657.tif 000023
系列母音として
0005404657.tif 000024
が配置される。すなわち、
0005404657.tif 000025
系列として１次母音である
0005404657.tif 000026
、２次母音である
0005404657.tif 000027
、そして、追加母音である
0005404657.tif 000028
が配置される。第３の文字ボタン領域２１０―３には、
0005404657.tif 000029
系列母音として
0005404657.tif 000030
が配置される。すなわち、
0005404657.tif 000031
系列として１次母音である
0005404657.tif 000032
、２次母音である
0005404657.tif 000033
、そして、追加母音である
0005404657.tif 000034
が配置される。第４の文字ボタン領域２１０―４には、
0005404657.tif 000035
系列母音として
0005404657.tif 000036
が配置される。すなわち、
0005404657.tif 000037
系列として１次母音である
0005404657.tif 000038
、２次母音である
0005404657.tif 000039
、そして、追加母音である
0005404657.tif 000040
が配置される。第５の文字ボタン領域２１０―５には、
0005404657.tif 000041
系列母音として
0005404657.tif 000042
が配置される。すなわち、
0005404657.tif 000043
系列として１次母音である
0005404657.tif 000044
、２次母音である
0005404657.tif 000045
、そして、追加母音である
0005404657.tif 000046
が配置される。
【００４０】
このとき、図２に示すように、第１の文字ボタン領域の右側と左側にはそれぞれ第２及び第３の文字ボタン領域が配置され、上部と下部にはそれぞれ第４及び第５の文字ボタン領域が位置する。これにより、第１の文字ボタン領域で子音を入力した後、母音入力のために第２〜第５の文字ボタン領域のうちいずれか一つの領域に移動することができる。また、第２〜第５の文字ボタン領域を通して母音を入力した後、再び子音を入力するために第１の文字ボタン領域に移動することもできる。このために、それぞれの文字ボタン領域には隣接した文字ボタン領域への移動を容易にし、該当の文字ボタン領域にどの文字が位置しているかを表示する移動ボタン領域が配置される。
【００４１】
また、図１に示すように、文字キューブ、すなわち、文字ボタン領域の周辺にディスプレイ設定可能な各メニューが配置されるので、言語間の転換が可能であり、記号又は文字間の転換が容易になる。また、多様な形態の入力のための命令も行うことができる。このディスプレイ設定可能なメニューは、一般の文字入力時には消えたように見せることもでき、特定領域や設定を通して見えるように設定することもできる。
【００４２】
以下、図面を参照して第１の実施例に係るタッチ式文字入力装置を用いた文字入力方法を説明する。
【００４３】
図３〜図１２は、第１の実施例に係るタッチ式文字入力方法を説明するための流れ図である。
【００４４】
以下、
0005404657.tif 000047
を入力することを例に挙げて説明する。
【００４５】
図３に示すように、
0005404657.tif 000048
という文字を書くために、まず、子音が表示された第１の文字ボタン領域で
0005404657.tif 000049
という文字をタッチ（初声入力）した後、母音
0005404657.tif 000050
は上から下に書くので、上方向又は下方向にドラッグする。すなわち、垂直方向に
0005404657.tif 000051
を書くジェスチャーをとる。本実施例では、これをタッチ及びドラッグという。このとき、前記タッチとしては、上述した一つの指でタッチするシングルタッチはもちろん、二つの指以上でタッチするマルチタッチ、連続してタッチするダブルタッチも全て含むことができる。また、タッチ後に上下左右の４方向にドラッグしたり、３６０°方向にドラッグすることもできる。
【００４６】
このとき、
0005404657.tif 000052
の場合は、水平方向（左側から右側方向）に書くので、左側方向又は右側方向に書くジェスチャー（すなわち、ドラッグ）をとる。また、
0005404657.tif 000053
の場合は、下方向に書く傾向があるので、下方向に書くジェスチャーをとり、
0005404657.tif 000054
の場合は、上方向に書く傾向があるので、上方向に書くジェスチャーをとる。
【００４７】
以上、子音を選択した状態でドラッグし、母音選択のための文字ボタン領域に移動することを説明したが、これに限定されることなく、母音選択のために第１の文字ボタン領域の周囲に配置された移動ボタン領域をクリックすることもできる。
【００４８】
上述したように、本実施例では、第１の文字ボタン領域で
0005404657.tif 000055
文字領域を押した後、
0005404657.tif 000056
を書くためにタッチ画面内で
0005404657.tif 000057
を書く方向（垂直方向、すなわち、上側又は下側）に画面上で指を移動させると、第４又は第５の文字ボタン領域がタッチ画面上に表示される。すなわち、画面が回転するようになる。その後、第４又は第５の文字ボタン領域内の
0005404657.tif 000058
文字領域をタッチ（中声入力）すると、画面上に
0005404657.tif 000059
という文字が書かれるようになる。その後、終声を完成させるために、第４の文字ボタン領域の場合は上側方向に、第５の文字ボタン領域の場合は下側方向にドラッグする。これにより、再び子音文字が配置された第１の文字ボタン領域に画面（本実施例ではキューブ）が移動する。すなわち、キューブが回転するようになる。
【００４９】
次いで、第１の文字ボタン領域で
0005404657.tif 000060
を入力して
0005404657.tif 000061
という単語を入力する。
【００５０】
このとき、終声として
0005404657.tif 000062
を入力するためには、
0005404657.tif 000063
を同時にタッチする。これにより、１回のタッチ（終声入力）で
0005404657.tif 000064
を同時に入力することができる。また、他の方法として、
0005404657.tif 000065
を順次タッチする。本実施例では、これら二つの方法をいずれも使用する。すなわち、ユーザーがどのような動作をするのか予測できないので、ユーザーの動作に相応した全ての可能な環境を提供することが効果的である。
【００５１】
すなわち、本実施例では、初声を作成した後、ドラッグ形態の移動モーションを通して作成しようとする中声の方向に移動する。初声を作成した後、ドラッグ形態のモーションをとらない場合、該当の第１の文字ボタン領域が継続して画面に表れるようになり、子音に該当する各文字を継続して入力することができる。もちろん、これは、各母音が集まっている文字ボタン領域においても同様である。
【００５２】
次いで、図４に示すように、
0005404657.tif 000066
という文字を入力するために、ユーザーは、第１の文字ボタン領域で
0005404657.tif 000067
に二つの指をタッチした状態で
0005404657.tif 000068
に該当する第５の文字ボタン領域にドラッグする。その後、第５の文字ボタン領域で
0005404657.tif 000069
をクリックし、
0005404657.tif 000070
という文字を完成する。
【００５３】
上述したマルチタッチ方法の他に、
0005404657.tif 000071
を１回タッチしてからもう１回タッチした状態で第５の文字ボタン領域にドラッグすることもある。これにより、画面に第５の文字ボタン領域が表れる。その後、第５の文字ボタン領域で
0005404657.tif 000072
をクリックし、
0005404657.tif 000073
という文字を完成する。ここで、
0005404657.tif 000074
に対するダブルクリックによって
0005404657.tif 000075
を入力できるようになる。このとき、
0005404657.tif 000076
を持続的にクリックすると、
0005404657.tif 000077
を交互に入力することもできる。また、
0005404657.tif 000078
を入力するために、
0005404657.tif 000079
を２回タッチした後、
0005404657.tif 000080
領域をタッチし、第５の文字ボタン領域で
0005404657.tif 000081
をタッチして入力することもできる。
【００５４】
次いで、図５に示すように、
0005404657.tif 000082
を入力するために、第１の文字ボタン領域で
0005404657.tif 000083
をクリックする。続いて、画面を押した状態でキューブを下側に回転する。すなわち、指をドラッグして下方向に移動すると、第５の文字ボタン領域が画面に表示される。その後、第５の文字ボタン領域で
0005404657.tif 000084
をクリックすると、
0005404657.tif 000085
が完成する。
【００５５】
次いで、図６に示すように、
0005404657.tif 000086
を入力するために、第１の文字ボタン領域で
0005404657.tif 000087
をクリック（初声入力）した後、その状態で指をドラッグして右側に移動する。これにより、キューブが回転し、第２の文字ボタン領域が画面に表れる。続いて、第２の文字ボタン領域で
0005404657.tif 000088
をタッチ（中声入力）し、
0005404657.tif 000089
を作成する。このとき、左側への移動（すなわち、水平方向の移動）を通しても第３の文字ボタン領域が表れ、この領域で
0005404657.tif 000090
をタッチすることもできる。続いて、第２の文字ボタン領域で
0005404657.tif 000091
をタッチした状態で右側方向に移動すると、再び第１の文字ボタン領域が画面に表れる。続いて、終声として再び
0005404657.tif 000092
をタッチ（終声入力）すると、
0005404657.tif 000093
が作成される。
【００５６】
その後、空欄の入力のために、第１の文字ボタン領域内のスペース文字領域をタッチする。これにより、空欄が入力される。
【００５７】
ここで、スペース文字領域、すなわち、実行文字領域の場合、タッチするとスペースバー入力に該当する動作をする。そして、タッチ後に右側方向にドラッグすると、タブ入力に該当する動作をする。また、タッチ後に下方向に移動すると、エンターキー入力に該当する動作をする。さらに、タッチ後に左側に移動すると、ＥＳＣ入力に該当する動作をし、タッチ後に上側に移動すると、バックスペース入力に該当する動作をする。
【００５８】
また、マルチタッチで前記実行文字領域（すなわち、スペース文字領域）をタッチした後、上下左右方向に移動すると、該当する方向のキューブが表れ、このとき、キューブ内には新しい文字入力モードが表れる。
【００５９】
次いで、図７に示すように、
0005404657.tif 000094
を入力するために、第１の文字ボタン領域で
0005404657.tif 000095
をクリックした後、その状態で指をドラッグして右側に移動する。これにより、キューブが回転し、第２の文字ボタン領域が画面に表れる。続いて、第２の文字ボタン領域で
0005404657.tif 000096
をタッチし、
0005404657.tif 000097
を作成する。
0005404657.tif 000098
をタッチした状態で右側に移動すると、キューブが回転し、第１の文字ボタン領域が再び表れる。続いて、第１の文字ボタン領域で
0005404657.tif 000099
を同時にタッチしたり、又は
0005404657.tif 000100
を順次タッチして
0005404657.tif 000101
を入力する。
【００６０】
次いで、図８に示すように、
0005404657.tif 000102
を入力するために、第１の文字ボタン領域で
0005404657.tif 000103
をクリックして初声を入力し、その状態で指をドラッグして左側に移動する。これにより、キューブが回転し、第３の文字ボタン領域が画面に表れる。続いて、第３の文字ボタン領域で
0005404657.tif 000104
をタッチして中声を入力し、
0005404657.tif 000105
を作成する。
0005404657.tif 000106
をタッチした状態で左側に移動すると、キューブが回転し、第１の文字ボタン領域が再び表れる。続いて、第１の文字ボタン領域で
0005404657.tif 000107
をマルチタッチ（二つの指でタッチする）したり、又は
0005404657.tif 000108
をタブクリック形態でタッチして終声を入力する。これにより、
0005404657.tif 000109
を入力して
0005404657.tif 000110
を入力する。
【００６１】
次いで、図９に示すように、
0005404657.tif 000111
を入力するために、第１の文字ボタン領域で
0005404657.tif 000112
をクリックして初声を入力し、その状態で指をドラッグして右側又は左側に移動する（これは
0005404657.tif 000113
を書く方向）。本実施例では、右側に移動する。これにより、キューブが回転し、第２の文字ボタン領域が画面に表れる。続いて、第２の文字ボタン領域で
0005404657.tif 000114
をタッチして中声を入力し、
0005404657.tif 000115
を作成する。
0005404657.tif 000116
をタッチした状態で右側に移動すると、キューブが回転し、第１の文字ボタン領域が再び表れる。続いて、第１の文字ボタン領域で
0005404657.tif 000117
をタッチして終声を入力し、
0005404657.tif 000118
を入力する。
【００６２】
次いで、図１０に示すように、
0005404657.tif 000119
を入力するために、第１の文字ボタン領域で
0005404657.tif 000120
をクリックして初声を入力し、その状態で指をドラッグして上側又は下側に移動する（これは
0005404657.tif 000121
を書く方向）。本実施例では、下側に移動する。これにより、キューブが回転し、第５の文字ボタン領域が画面に表れる。続いて、第５の文字ボタン領域で
0005404657.tif 000122
をタッチして中声を入力し、
0005404657.tif 000123
を入力する。
【００６３】
次いで、図１１に示すように、
0005404657.tif 000124
を入力するために、第１の文字ボタン領域で
0005404657.tif 000125
をクリックして初声を入力し、その状態で指をドラッグして右側に移動する。これにより、キューブが回転し、第２の文字ボタン領域が画面に表れる。続いて、第２の文字ボタン領域で
0005404657.tif 000126
をタッチして中声を入力し、
0005404657.tif 000127
を入力する。
【００６４】
これにより、
0005404657.tif 000128
という文章を入力することができる。
【００６５】
もちろん、終止符を入力するために、終止符入力領域をクリックする。この終止符入力領域をタッチすると、終止符が入力される。
【００６６】
そして、タッチ後に右側方向にドラッグすると、数字０が入力される。このとき、マルチタッチをすると、０から９までの数字が入力される。また、タッチ後に下方向に移動すると、疑問符（？）が入力される。さらに、タッチ後に左側に移動すると休止符（，）が入力され、タッチの後に上方向に移動すると感嘆符号（！）が入力される。
【００６７】
このとき、図１２に示すように、終止符入力領域をタッチした状態で４方向（上下左右）に移動すると、四方にそれぞれ該当するアスキーコード、文字コード又は絵記号が表示される。その一方で、前記アスキーコード／文字コード／絵記号が文字ボタン領域に表れた状態で前記終止符入力領域をタッチして４方向に移動すると、再び文字（ハングル）入力のための入力モードが表れる。
【００６８】
図１２に示すように、左右上下方向にアスキーコードと数字キューブが表れ、上方向には絵文字やイモティコンが表れるが、特殊文字及び記号などが表示されることもある。上述した全ての文字入力モードにおいても同様であるが、特に、この部分のアスキーコード、絵文字又はイモティコンなどは製造社ごとに異なるように構成することもでき、ユーザー別にそれぞれ自由に設定することもできる。
【００６９】
これは、スペース文字領域の場合においても類似している。すなわち、スペース文字領域をタッチした状態で４方向に移動すると、ＰＣで使用するファンクションキー（ｔａｂ、ｃａｐｓ  ｌｏｃｋ、ｓｈｉｆｔ、ｃｔｌｒｌ、ｓｃｒｏｌｌ、ｐａｕｓｅ、ｉｎｓｅｒｔ、ｈｏｍｅ、ｐａｇｅ  ｕｐ、ｐａｇｅ  ｄｏｗｎ、ｅｎｄなど）が再配置される。
【００７０】
以下、第１の参考例に係るタッチ式英語入力方法について説明する。下記の参考例では、文字ボタン領域に２個以上の文字が配置された場合を説明する。
【００７１】
図１３は、第１の参考例に係るタッチ式文字入力装置の文字ボタン領域を説明するための図である。
【００７２】
図１３に示すように、英語文章の入力のために、文字ボタン領域には３＊３行列形態の文字領域が配置される。一つの文字領域には５個の文字（子音、母音、特殊記号、実行表示及び数字）が表示される。このとき、５個の文字のうち一つは中央に配置され、この中央を中心に上下左右にそれぞれ一つずつ配置される。本参考例では、各文字領域に英語のアルファベットと数字が配置され、その配置関係は多様に変化可能である。本参考例では、図１３の配置のようにアルファベットと数字を配置する。そして、前記文字領域のうち一つはスペース文字領域で、他の一つは終止符文字領域である。このとき、スペース文字領域をタッチした後、前後左右方向のうちいずれか一つの方向に移動すると、大文字のアルファベットになる。
【００７３】
また、本参考例では、一つの文字ボタン領域が位置するので、移動ボタン領域に隣接文字ボタン領域が表示されない。その代わりに、現在作成した単語が移動ボタン領域に表示される。以下、図面を参照して「ｋｏｒｅａ」を書く方法を説明する。
【００７４】
図１４は、第１の参考例に係るタッチ式文字入力方法を説明するための流れ図である。
【００７５】
図１４を参照すると、「ｋ」が位置した文字領域、すなわち、中央に「ｉ」が配置された文字領域の「ｉ」をタッチした後、「ｋ」が位置した右側方向に移動する。これにより「ｋ」が入力される。続いて、中央に「ｏ」が位置した文字領域で「ｏ」をタッチすると、「ｋｏ」が入力される。続いて、中央に「ｕ」が位置した文字領域で「ｕ」をタッチした後、右側方向に移動すると、「ｒ」が入力される。これにより、「ｋｏｒ」が作成される。続いて、中央に「ｅ」が位置した文字領域で「ｅ」をタッチし、「ａ」が位置した文字領域で「ａ」をタッチすると、「ｋｏｒｅａ」という単語が作成される。
【００７６】
この方式で入力する場合、文字が一つずつ入力され、移動ボタン領域に単語が羅列される。このとき、エディタ窓の全体画面を見ずに、キューブの上端のみを見ながら入力することが可能であるので、迅速に入力することができる。
【００７７】
以上では、シングルタッチの場合を説明したが、以下では、マルチタッチの場合を説明する。
【００７８】
図１５は、第１の参考例の変形例に係るタッチ式文字入力方法を説明するための流れ図である。
【００７９】
本変形例では、二つの指でマルチタッチ入力をすると、次に組み合わされる文字が自動的に羅列される。例えば、「ｋｏｒｅａ」の入力を例に挙げると次の通りである。
【００８０】
図１５に示すように、「ｉ」が中央に配置された文字領域を二つの指でマルチタッチした後、右側方向に移動すると、「ｋ」が入力されると同時に、自動完成機能を使用するモードに変換される。続いて、「ｏ」文字領域をマルチタッチすると、「ｋｏ」が入力される。このとき、移動ボタン領域に各推薦文字が表れる。このように推薦文字が表れると、それ以降はマルチタッチを使用しなくてもよい。このとき、推薦文字として、「ｋｏｒｅａ」、「ｋｏｓｐｉ」、「ｋｏｔｒａ」、「ｋｏｆｒｅｅ」、「ｋｏｒａｉｌ」、「ｋｏｂｕｓ」、「ｋｏｓｈａ」及び「ｋｏｄｅｘ２００」などが表れる。このような単語の自動完成組み合わせは、基本ＤＢの他にも、ユーザーが継続して使用するほど学習による推薦単語が増加又は減少し、ユーザーの単語選択頻度によって推薦単語の優先順位が変わり得る。また、ウェブサーバーから提供されたり、ユーザーによって適切な形態に具現されたＤＢをダウンロードして使用することもできる。この状態で上側の１番の推薦単語である「ｋｏｒｅａ」や２番目の推薦単語である「ｋｏｓｐｉ」が入力しようとする単語である場合、推薦単語を選択すると入力が完了する。１番又は２番の推薦単語を選択せずに３番以上の推薦単語を選択したり、３番以上の推薦単語を見たい場合は、１番の推薦単語や２番の推薦単語の領域を左側又は右側にドラッグし、所望の推薦単語を継続して表示することができる。
【００８１】
このとき、ユーザーが最初から「ｋｏｒ」まで入力しようとする場合は、「ｒ」をタッチし、下方向にドラッグすると、「ｋｏｒ」まで入力され、キューブは初期化される。このとき、ドラッグ方向をシステムによって多様に可変することができる。もちろん、左右に空いている空間をタッチすることにより、常に初期化することもできる。
【００８２】
もちろん、「ｋｏｒ」を入力した後、継続的に入力が行われる場合、推薦単語が継続してキューブに表れ、入力したアルファベットによって推薦単語が変化するようになる。もちろん、「ｋｏｒｅａｍ」のようにＤＢや学習資料にない新生単語の場合、推薦単語がないことから自動完成機能が初期化され、ユーザーの入力による単語組み合わせを継続して行う。
【００８３】
図１６は、第２の参考例に係るタッチ式文字入力装置の文字ボタン領域を説明するための図である。
【００８４】
図１６に示すように、文字ボタン領域に多数の文字がクワーティ配列形態で配列されることもある。文字ボタン領域は５＊６行列の文字領域に分離され、この文字領域にはアルファベット又は各機能入力文字が配置される。中国の漢字入力の場合、五筆字入力方法があるが、この方法と同様に、既存のクワーティキーボードの配列形態による文字入力時にも使用可能にする方法である。
【００８５】
本参考例では、ユーザーのタッチとドラッグによって文字が入力されることによって、最初にユーザーがタッチする３行の文字領域の大きさが最も大きく、２行及び４行の文字領域の大きさがその次に大きく、１行と５行の文字領域の大きさが最も小さい。このとき、これらの比率は３：２：１であることが効果的である。本参考例では、ａ、ｓ、ｄ、ｆ、ｇを３行に配置したが、このような文字の配置は多様に可変することができる。そして、６列には各機能入力キーを配置した。
【００８６】
以下、前記装置を用いた「ｋｏｒｅａ」入力方法を説明する。
【００８７】
図１７は、第２の参考例に係るタッチ式文字入力方法を説明するための図である。
【００８８】
図１７に示すように、中央に位置した「ｄ」文字領域をタッチした後、「ｋ」方向にドラッグすると「ｋ」が入力される。続いて、「ｆ」をタッチした後、「ｏ」方向にドラッグすると「ｏ」が入力される。再び「ｆ」をタッチした後、「ｒ」方向にドラッグすると「ｒ」が入力される。続いて、「ｄ」をタッチした後、「ｅ」方向にドラッグすると「ｅ」が入力され、「ａ」をタッチすると「ｋｏｒｅａ」が入力される。
【００８９】
以上、これを英文を中心に説明したが、これに限定されることなく、上述した第１の実施例及び第１の参考例のいずれも適用可能であり、後述する各例にも前記技術が適用される。
【００９０】
以下、和文入力を中心に説明する。
【００９１】
図１８及び図１９は、第２の実施例に係るタッチ式文字入力装置の文字入力領域を説明するための図である。
【００９２】
図１８は、日本語の平仮名を示したもので、図１９は、片仮名を示したものである。
【００９３】
図１８及び図１９を参照すると、５個の文字ボタン領域が配置されている。
【００９４】
平仮名の場合、図１８に示すように、第１の文字ボタン領域には、あ段の文字（「あ」、「か」、「さ」、「た」、「な」、「は」、「ま」、「や」、「ら」、「わ」）が配置され、その右側に配置された第２の文字ボタン領域には、い段の文字（「い」、「き」、「し」、「ち」、「に」、「ひ」、「み」、「り」、「わ」）が配置され、左側の第３の文字ボタン領域には、え段の文字（「え」、「け」、「せ」、「て」、「ね」、「へ」、「め」、「れ」、「わ」）が配置され、上側の第４の文字ボタン領域には、お段の文字（「お」、「こ」、「そ」、「と」、「の」、「ほ」、「も」、「よ」、「ろ」、「を」）が配置され、下側の第５の文字ボタン領域には、う段の文字（「う」、「く」、「す」、「つ」、「ぬ」、「ふ」、「む」、「ゆ」、「る」、「ん」）が配置される。
【００９５】
片仮名の場合、図１９に示すように、第１の文字ボタン領域にはア段の文字（「ア」、「カ」、「サ」、「タ」、「ナ」、「ハ」、「マ」、「ヤ」、「ラ」、「ワ」）が配置され、その右側に配置された第２の文字ボタン領域にはイ段の文字（「イ」、「キ」、「シ」、「チ」、「ニ」、「ヒ」、「ミ」、「リ」、「ワ」）が配置され、左側の第３の文字ボタン領域にはエ段の文字（「エ」、「ケ」、「セ」、「テ」、「ネ」、「ヘ」、「メ」、「レ」、「ワ」）が配置され、上側の第４の文字ボタン領域にはオ段の文字（「オ」、「コ」、「ソ」、「ト」、「ノ」、「ホ」、「モ」、「ヨ」、「ロ」、「ヲ」）が配置され、下側の第５の文字ボタン領域にはウ段の文字（「ウ」、「ク」、「ス」、「ツ」、「ヌ」、「フ」、「ム」、「ユ」、「ル」、「ン」）が配置される。
【００９６】
以下、図面を参照して第２の実施例に係るタッチ式文字入力装置を用いた文字入力方法を説明する。
【００９７】
図２０は、第２の実施例に係るタッチ式文字入力方法を説明するための流れ図である。
【００９８】
以下では、日本語の「韓国が大好きです。」を入力することを例に挙げて説明する。すなわち、平仮名「かんこくがだいすきです。」を順に入力する。
【００９９】
図２０に示すように、第１の文字ボタン領域で「か」をタッチして入力し、「か」をタッチした状態で下側方向に移動する。これにより、キューブが回転し、第５の文字ボタン領域が画面に表れる。続いて、第５の文字ボタン領域で「ん」をタッチして入力し、その状態で上側方向にドラッグする。これにより、キューブが回転し、第４の文字ボタン領域が画面に表れる。続いて、第４の文字ボタン領域で「こ」をタッチして入力し、その状態で下方向にドラッグする。これにより、キューブが回転し、第５の文字ボタン領域が画面に表れる。第５の文字ボタン領域で「く」をタッチすると、「かんこく」が入力される。
【０１００】
次いで、「かんこく」を「韓国」に変換するためにスペースバー文字領域をタッチする。このとき、シングルタッチの場合、代表漢字（すなわち、頻繁に使用する代表漢字）に自動的に変更される。マルチタッチの場合、該当の平仮名にマッチングする選択可能な漢字リストが表れる。このとき、漢字に変換せずに進行することもできる。
【０１０１】
本実施例のスペースバー文字領域の場合、タッチ時にはスペースバー入力になり、タッチ後に右側に移動すると句点が入力され、タッチ後に左側に移動すると読点が入力され、タッチ後に上側に移動するとバックスペース機能になり、タッチ後に下側に移動するとエンターキー機能が入力される。
【０１０２】
次いで、濁音である「が」を入力するためには、まず、「か」をタッチして入力する。その後、第１の文字ボタン領域の濁音変更領域をクリックし、濁点を付ける。これにより、「が」が入力される。
【０１０３】
ここで、濁音変更領域を正面でタッチする場合、濁点が入力される（例：か―>が）。タッチ後に右側方向に移動すると半濁点が入力（は―>ぱ）され、タッチ後に左側方向に移動すると長音表示が入力され、タッチ後に上側方向に移動すると平仮名と片仮名モードが転換され、タッチ後に下側方向に移動すると小さい文字、拗音、促音に変換される。
【０１０４】
次いで、濁音である「だ」を入力するために、まず、第１の文字ボタン領域で「た」を入力した後、濁音入力変換ボタンを押して濁点を付着し、「だ」を入力する。
【０１０５】
濁音変更領域をタッチした状態で右側方向に移動すると第２の文字ボタン領域が表れ、この第２の文字ボタン領域で「い」をタッチし、「い」を入力する。このとき、「だい」も漢字（大）に変換したい場合、スペースバー文字領域をタッチする。このような漢字入力後には、第１の文字ボタン領域が画面に表れる。
【０１０６】
次いで、「す」を入力するために、第１の文字ボタン領域の一部地点で下側方向にタッチした後でドラッグしたり、第１の文字ボタン領域の下側に位置した移動ボタン領域をタッチする。これにより、第５の文字ボタン領域が画面に表示され、この領域で「す」をタッチする。このとき、「す」も漢字に変換するためには、スペースバー文字領域をタッチする。
【０１０７】
次いで、上述したようなタッチ後、左側ドラッグ又は左側の移動ボタン領域のタッチを通して第２の文字ボタン領域が画面に表示される。このとき、第２の文字ボタン領域の「き」をタッチして入力し、その状態で左側方向にドラッグする。これにより、第３の文字ボタン領域が画面に表示される。その後、まず、「て」をタッチして入力した後、濁音入力変換ボタンである濁音入力文字領域をタッチする。これにより、「で」が入力される。
【０１０８】
次いで、第１の文字ボタン領域でタッチした後、下側方向にドラッグしたり、第１の文字ボタン領域の下側に位置した移動ボタン領域をタッチして第５の文字ボタン領域を画面に表示する。その後、「す」をタッチして入力した後、句点を入力する。これにより、「韓国が大好きです。」の入力が完成する。
【０１０９】
以上、シングルタッチを中心に説明した。しかし、本実施例での単語及び文章の入力はマルチタッチ機能も可能である。これは、「あ」段（すなわち、文字ボタン領域）を除いた「い、う、え、お」段で所望の入力を詳細に行うことができる。例えば、「い段」、すなわち、第２の文字ボタン領域の全ての文字を広げた状態で文字を入力することもでき、ユーザーの理由を反映して状況に合わせて準備された入力も可能である。
【０１１０】
第５の文字ボタン領域の文字を詳細に入力しようとする場合、第１の文字ボタン領域をマルチタッチした後、下方向に移動する。これにより、キューブが回転し、第５の文字ボタン領域が画面に配置される。このとき、各文字ボタン領域の移動ボタン領域をマルチタッチしてもよい。
【０１１１】
上述した平仮名と同一の方法で、片仮名の単語及び文章の入力が可能である。
【０１１２】
図２１は、第３の実施例に係るタッチ式文字入力装置を説明するための図である。
【０１１３】
図２１に示すように、本実施例のタッチ式文字入力装置の文字ボタン領域が複数個以上画面に表示される。これにより、ユーザーは文字入力をより迅速に行うことができる。このとき、両手を用いて文字を迅速に入力することもでき、各文字ボタン領域が互いに異なる言語を表示することもできる。
【０１１４】
以上、本発明の技術的思想を好適な実施例で具体的に記述したが、上述した実施例は、説明のためのもので、制限するためのものでないことに注意しなければならない。また、本発明は、本発明の技術分野における通常の専門家であれば、本発明の技術的思想の範囲内で多様な実施例が可能であることを理解するであろう。
【符号の説明】
【０１１５】
１００：本体、１１０：タッチ画面、２００：文字入力領域、２１０：文字ボタン領域、２１１：文字領域、２２０：移動ボタン領域
【図１】
0005404657.tif 000148
【図２】
0005404657.tif 000149
【図３】
0005404657.tif 000150
【図４】
0005404657.tif 000151
【図５】
0005404657.tif 000152
【図６】
0005404657.tif 000153
【図７】
0005404657.tif 000154
【図８】
0005404657.tif 000155
【図９】
0005404657.tif 000156
【図１０】
0005404657.tif 000157
【図１１】
0005404657.tif 000158
【図１２】
0005404657.tif 000159
【図１３】
0005404657.tif 000160
【図１４】
0005404657.tif 000161
【図１５】
0005404657.tif 000162
【図１６】
0005404657.tif 000163
【図１７】
0005404657.tif 000164
【図１８】
0005404657.tif 000165
【図１９】
0005404657.tif 000166
【図２０】
0005404657.tif 000167
【図２１】
0005404657.tif 000168